(57)【特許請求の範囲】
【請求項１】
携帯端末と、
圃場、前記圃場で行う農作業及び前記農作業を行う農作業者を含む複数の作業内容を記憶する作業内容記憶手段と、前記圃場、前記農作業及び農作業を行う農作業期間を含み且つ前記圃場、前記農作業及び農作業期間をそれぞれ関係付けた複数の作業計画を記憶する作業計画記憶手段と、前記農作業者に割り当てる前記携帯端末を識別する第１識別情報と割り当ての元の農作業者を識別する第２識別情報とを関係付けて記憶する第１記憶手段と、前記農作業者と前記作業計画との関係を登録情報として記憶する第２記憶手段を有するサーバと、
を備え、
前記携帯端末は、
自己を識別する第１識別情報と割り当ての元の農作業者を識別する第２識別情報とを関係付けて記憶する第３記憶手段と、
前記第１識別情報に関連付けられた前記第２識別情報で示される所定の農作業者に向けた作業内容を前記サーバに要求すると共に、前記作業計画記憶手段に記憶された作業計画であって前記所定の農作業者に関係する作業計画を要求する取得手段と、
前記取得手段の要求によって取得した作業内容及び／又は作業計画を表示する表示手段と、
を有し、
前記サーバは、前記第２記憶手段に記憶された前記登録情報に基づいて、前記作業計画記憶手段に記憶された前記複数の作業計画の中から、前記取得手段によって要求された前記所定の農作業者に関係する作業計画を抽出し、抽出した作業計画を前記携帯端末に送信することを特徴とする農業支援システム。
【請求項２】
前記携帯端末は、新たな作業内容を作成する作成手段を備えていることを特徴とする請求項１に記載の農業支援システム。
【請求項３】
前記携帯端末は、前記作成手段によって作成された作業内容を外部に送信する通知手段を備えていることを特徴とする請求項２に記載の農業支援システム。
【発明の詳細な説明】
【技術分野】
【０００１】
本発明は、例えば、複数の農作業者の農作業を支援する農業支援システムに関する。
【背景技術】
【０００２】
従来より、個人農家や営農集団では、圃場の管理、農作業の管理、農作業を行う作業者（農作業者）の管理等を行っている。これらの農業管理は、ノート等で行われることが多かったが、情報技術の発展に伴い、農業管理もＩＴ化してきている。農業管理をコンピュータ等により行う技術として、例えば、特許文献１に示すものがある。
特許文献１には、作物の状態又は環境の状態に関する条件が満たされた場合に実行すべき作業を示す作業情報と、作業の前記作物の生育に対する寄与度とを含む作業規則情報を記憶した作業規則情報記憶部と、入力される作物の状態を示す情報又は環境の状態を示す情報に合致する条件を含む作業規則情報を作業規則情報記憶部より抽出する作業規則情報抽出部と、抽出された作業規則情報に含まれる前記作業情報を出力する作業指示部とを有した農作業支援装置が開示されている。即ち、特許文献１には、作物の状態又は環境の状態に関する条件が一致した場合に、条件に対応する作業規則情報に基づき、農作業支援装置から農作業者に向けて作業情報を出力することが開示されている。
【先行技術文献】
【特許文献】
【０００３】
【特許文献１】特開２０１２−０３９９６４号公報
【発明の概要】
【発明が解決しようとする課題】
【０００４】
さて、特許文献１は、農作業支援装置から農作業者に向けて作業情報を出力する構成であるが、農作業者が何らかの事象によって作業情報を取得できない場合には、作業情報（作業内容）に基づいて農作業を行うことができない。
そこで本発明は、上記問題に鑑み、農作業者が適正な農作業を確実に行うことができる農業支援システムを提供することを目的とする。
【課題を解決するための手段】
【０００５】
前記目的を達成するために、本発明は、次の手段を講じた。
農業支援システムは、携帯端末と、圃場、前記圃場で行う農作業及び前記農作業を行う農作業者を含む複数の作業内容を記憶する作業内容記憶手段と、前記圃場、前記農作業及び農作業を行う農作業期間を含み且つ前記圃場、前記農作業及び農作業期間をそれぞれ関係付けた複数の作業計画を記憶する作業計画記憶手段と、前記農作業者に割り当てる前記携帯端末を識別する第１識別情報と割り当ての元の農作業者を識別する第２識別情報とを関係付けて記憶する第１記憶手段と、前記農作業者と前記作業計画との関係を登録情報として記憶する第２記憶手段を有するサーバと、を備え、前記携帯端末は、自己を識別する第１識別情報と割り当ての元の農作業者を識別する第２識別情報とを関係付けて記憶する第３記憶手段と、前記第１識別情報に関連付けられた前記第２識別情報で示される所定の農作業者に向けた作業内容を前記サーバに要求すると共に、前記作業計画記憶手段に記憶された作業計画であって前記所定の農作業者に関係する作業計画を要求する取得手段と、
前記取得手段の要求によって取得した作業内容及び／又は作業計画を表示する表示手段と、を有し、前記サーバは、前記第２記憶手段に記憶された前記登録情報に基づいて、前記作業計画記憶手段に記憶された前記複数の作業計画の中から、前記取得手段によって要求された前記所定の農作業者に関係する作業計画を抽出し、抽出した作業計画を前記携帯端末に送信することを特徴とする。
また、前記携帯端末は、新たな作業内容を作成する作成手段を備えていることを特徴とする。
また、携帯端末は、前記作成手段によって作成された作業内容を外部に送信する通知手段を備えていることを特徴とする。
【発明の効果】
【０００８】
本発明によれば、農作業者は、作業内容又は作業計画の少なくとも１つを見て、農作業を行うことができる。例えば、取得手段によって作業内容が取得できれば、農作業者は取得した作業内容を見て当該作業内容に基づいた農作業を行うことができ、作業計画が取得できれば、農作業者は取得した作業計画を見て当該作業計画に基づいた農作業を行うことができ、これにより、農作業者は適正な農作業を確実に行うことができる。
【０００９】
また、作業内容が取得できない場合に作業計画を取得して表示することで作業計画に基づいて農作業を行うことができる。
また、例えば、作業内容が取得できない場合に作業計画を見ながら、作業内容の作成を農作業者自ら行うことができる。
また、農作業者自ら作成した作業内容を実際に行ったものとして報告（通知）することができる。
【図面の簡単な説明】
【００１０】
【図１】農業支援システムの全体図である。
【図２】農業支援システムのブロック図である。
【図３】作付計画画面を示す図である。
【図４】（ａ）変更前の共通設定画面を示し、（ｂ）変更後の共通設定画面を示す図である。
【図５】（ａ）変更前の個別設定画面を示し、（ｂ）変更後の個別設定画面を示す図である。
【図６】（ａ）変更前の作業計画画面を示し、（ｂ）変更後の作業計画画面を示す図である。
【図７】２年間の作付計画及び作業計画の流れを示す図である。
【図８】（ａ）作物と圃場との組み合わせが一致する例を示し、（ｂ）作物と圃場との組み合わせが一致しない第１例を示し、（ｃ）作物と圃場との組み合わせが一致しない第２例を示し、（ｄ）作業計画データベースに記憶した前年作業計画の例を示した図である。
【図９】作業作成画面を示す図である。
【図１０】（ａ）対象農作業者への作業内容の送信を説明する図であり、（ｂ）非対象農作業者への作業内容の送信を説明する図である。
【図１１】仕分け手段による作業内容の仕分けを説明する説明図である。
【図１２】各種表示画面の切替えの遷移を示す図である。
【図１３】（ａ）メインメニュ画面を示し、（ｂ）自分作業画面を示し、（ｃ）他人作業画面を示す図である。
【図１４】（ａ）自分作業確認画面を示し、（ｂ）他人作業確認画面を示す図である。
【図１５】（ａ）計画確認画面を示し、（ｂ）作業中画面を示す図である。
【図１６】報告確認画面を示す図である。
【図１７】サーバと携帯端末とにおける作業内容の送受信の流れを示す第１図である。
【図１８】サーバと携帯端末とにおける作業内容の送受信の流れを示す第２図である。
【図１９】作業内容に基づいて農業機械（使用機械）の設定を行う流れを示す図である。
【図２０】（ａ）自分作業確認画面に自分作業内容を表示した図であり、（ｂ）自分作業内容を中間報告書にした図であり、（ｃ）中間報告書を実報告書に変換した図である。
【図２１】（ａ）他人作業確認画面に他人作業内容を表示した図であり、（ｂ）他人作業内容を中間報告書にした図であり、（ｃ）中間報告書を実報告書に変換した図である。
【図２２】作業計画の取得から作業計画の表示の流れを示した図である。
【図２３】報告書作成画面を示す図である。
【図２４】トラクタの全体概略図である。
【発明を実施するための形態】
【００１１】
以下に、図面を参照しながら、本発明の実施形態による農業支援システムを説明する。
図１は、農業支援システムの全体図を示したものである。
図１に示すように、農業支援システム１は、農業の支援を行うものであって、農業に関する様々な支援を行うサーバ２を備えている。サーバ２は、主に、管理者等が作成する様
々な計画（作付計画、作業計画）の作成支援、農作業の指示書（作業内容）の作成支援を行う。また、サーバ２は、農業実績の管理や農業実績の分析・評価の支援等を行う。
【００１２】
農業支援システム１は、サーバ２に接続するコンピュータ（ノード）３を備えている。コンピュータ３は、管理者Ｕ１が操作する管理コンピュータ３ａと、農作業者Ｕ２が操作する作業者コンピュータ３ｂとに大別される。管理コンピュータ３ａは、例えば、農家等に設置されたパーソナルコンピュータで構成され、作業者コンピュータ３ｂは携帯端末で構成される。
【００１３】
さらに、農業支援システム１は、農業機械４に搭載されたデータ収集装置５を備えている。データ収集装置５は、携帯端末３ｂとの間で通信を行うことにより様々なデータのやりとりを行うもので、例えば、農業機械４が作動したときのデータ（農作業データ）を収集して、携帯端末３ｂに送信する。なお、農業機械４は、トラクタ、コンバイン、田植機などである。
【００１４】
このような農業支援システム１では、管理コンピュータ３ａをサーバ２に接続することによってサーバ２上で様々な計画（作付計画、作業計画）の作成を行ったり、指示書（作業内容）の作成を行うことができる。また、作成した作業内容をサーバ２をから携帯端末３ｂに送信することにより農作業者に対して作業指示を行うことができる。また、携帯端末３ｂからサーバ２に農作業データを送信することにより農作業データをサーバ２に記憶したり、サーバ２にて農作業データの分析・評価を行うことができる。
【００１５】
以下、農業機械４の１つであるトラクタを例にとり、農業支援システム１について説明する。まず、トラクタの構成について説明する。
図２４に示すように、トラクタ４は、前後に車輪が取り付けられた走行車両（走行車体）１０に、エンジン１１、変速装置１２等を搭載して構成されている。エンジン１１の後方には、独立搭載型のキャビン１３が設けられており、キャビン１３内には運転席１４が設けられている。また、走行車両２の後部には、様々なインプルメント等を装着することができるようになっている。詳しくは、走行車両２の後部には、３点リンク機構１５が昇降可能に設けられると共に、エンジン１１からの動力を伝達するＰＴＯ軸が設けられている。３点リンク機構１５には、肥料散布装置、耕耘装置、農薬散布装置、播種散布装置、収穫装置などの作業装置１６が着脱自在となっている。なお、図２４は、肥料散布装置を３点リンク機構１５に取り付けた例を示している。
【００１６】
図２に示すように、トラクタ４には、データ収集装置５と制御装置６とが搭載されている。データ収集装置５と制御装置６とは、車両用通信ネットワークにより接続されている。制御装置６は、トラクタ４の走行系制御や作業系制御等を行うものであって、走行系制御として、エンジンの動作を制御したり、作業系制御として、運転席の周囲に設けられた操作レバーや操作スイッチなどの操作具からの入力を受けると、入力値に従って３点リンク機構１５の昇降、ＰＴＯ軸の出力（回転数）などの動作を制御する。トラクタ４の走行系制御や作業系制御を行うときの制御信号や制御を行うための各種検出信号（例えば、センサが検出した信号）は、車両用通信ネットワークに出力されて、トラクタ４の各部に伝達される。なお、制御装置６による走行系制御や作業系制御は、上述したものに限定されない。
【００１７】
データ収集装置５は、車両用通信ネットワークを介して、トラクタ４が動作しているときの農作業に関する様々なデータを自動的に収集するものである。例えば、トラクタ４の後部に作業装置１６として耕耘装置が連結されてトラクタ４が動作したときは、ロータリーの回転数、ロータリーの負荷、エンジン回転数、車速、耕深などのデータが車両用通信ネットワークに出力される。データ収集装置５は、ロータリーの回転数、ロータリーの負荷、エンジン回転数、車速、耕深などのデータを農作業データとして取得する。
【００１８】
また、作業装置１６が肥料散布装置、農薬散布装置、播種散布装置である場合は、車速、エンジン回転数、散布量（肥料散布量、農薬散布量、播種散布量）などのデータが車両通信ネットワーク上に出力され、データ収集装置５は、車速、エンジン回転数、肥料散布量、農薬散布量、播種散布量を農作業データとして取得する。或いは、作業装置１６が収穫装置である場合は、車速、エンジン回転数、収穫量などのデータが車両通信ネットワー
ク上に出力され、データ収集装置５は、車速、エンジン回転数、収穫量を農作業データとして取得する。
【００１９】
このデータ収集装置５は、第１記憶部２０と、第１通信部２１とを備えている。第１記憶部２０は、上述したような農作業に関係する農作業データを一時的に記憶する。この第１記憶部２０には、トラクタ４の作動時に農作業データが逐次、蓄積される。なお、データ収集装置５には、トラクタ４を識別（特定）するための機械特定情報が記憶されると共に、トラクタ４が作動したときの作動時間なども記憶されている。
【００２０】
第１通信部２１は、携帯端末３ｂと無線通信を行うものであって、近距離の無線を行う装置で構成されている。第１通信部２１は、例えば、通信規格であるＩＥＥＥ８０２．１１シリーズのＷｉ-Ｆｉ（Wireless Fidelity、登録商標）等により携帯端末３ｂと無線通信を行う。
携帯端末３ｂは、例えば、比較的演算能力の高いスマートフォン（多機能携帯電話）やタブレットＰＣ等で構成されている。図１に示すように、携帯端末３ｂは、農作業時に農作業者Ｕ２が所持することとされていて、当該携帯端末３ｂは各農作業者Ｕ２に割り当てられている。例えば、２台の携帯端末３ｂと、２人の農作業者Ｕ２（作業者Ａ、作業者Ｂ）が居るとき、１台目の携帯端末３ｂは「作業者Ａ」に割り当てられ、２台目の携帯端末３ｂは「作業者Ｂ」に割り当てられている。以降、説明の便宜上、農作業者のことを「作業者」といい説明を進めることがある。
【００２１】
なお、携帯端末３ｂを識別する識別情報（例えば、ＭＡＣアドレス）と、作業者を識別する識別情報（例えば、名前、住所、農作業者固有のメールアドレス）とは関連付けられて、サーバ２、管理コンピュータ３ａ、携帯端末３ｂ等に記憶されている。携帯端末３ｂの識別情報及び作業者の識別情報を用いることにより、携帯端末３ｂの識別情報から作業者を特定したり、作業者から携帯端末３ｂを特定することができる。携帯端末３ｂと作業者とは関連付けられていれば、関連付けの方法や識別情報の記憶場所は、上述したものに限定されない。
【００２２】
携帯端末３ｂは、第２通信部２２と、第２記憶部２３とを備えている。
第２通信部２２は、データ収集装置５やサーバ２と無線通信を行うものであって、通信装置で構成されている。第２通信部２２は、例えば、通信規格であるＩＥＥＥ８０２．１１シリーズのＷｉ-Ｆｉ（Wireless Fidelity、登録商標）などによりデータ収集装置５との無線通信を行う。また、第２通信部２２は、例えば、データ通信網や携帯電話通信網などによりサーバ２との無線通信を行う。第２記憶部２３は、識別情報の他、データ収集装置５やサーバ２から送信されたデータを記憶する。
【００２３】
なお、携帯端末３ｂは、測位衛星（例えば、ＧＰＳ衛星）２４から送信された信号（ＧＰＳ衛星の位置、送信時刻、補正情報等）を受信し、受信した信号に基づいて自分の位置（例えば、緯度、経度）を検出する位置検出部２５を有していてもよい。位置検出部２５を設けた場合は、農作業者が農作業時に携帯端末３ｂを所持することにより、農作業時の農作業者の位置を検出することができる。
【００２４】
次に、サーバ２について詳しく説明する。
図２に示すように、サーバ２は、作付計画の設定を行う作付計画設定手段３０と、作付計画を記憶する作付計画記憶手段（作付計画データベース）３１を備えている。作付計画設定手段３０は、サーバ２に格納されたプログラム等から構成されている。なお、作付計画記憶手段は、データを所定の規則に応じて記憶（記録）した作付計画データベース３１の他に、データを単に記憶したものであってもよい。
【００２５】
作付計画とは、何の作物をどの圃場に作付けするかという計画、即ち、所定の「圃場」と所定の「作物」とを関係付けるための計画であって、例えば、作物を圃場に作付けする前に、複数の圃場を管理する管理者等が行う。圃場とは、作物を作付けする（植え付ける）区画された田畑のことである。
管理コンピュータ３ａがサーバ２にログインをして、当該管理コンピュータ３ａから作付計画作成の要求があると、この要求に応じて作付計画設定手段３０は、図３に示すような作付計画画面Ｑ１を管理コンピュータ３ａに表示する処理を行う。図３を用いて、作付
計画、作付計画画面Ｑ１及び作付計画設定手段３０について説明する。
【００２６】
作付計画設定手段３０は、複数の作物（例えば、稲、うめ、大麦、小麦）の中から作付計画で設定する作物の大分類（例えば、作物の品目）を設定するための第１分類設定部３２を作付計画画面Ｑ１に表示する。例えば、第１分類設定部３２に表示された複数の作物から「稲」が選択されると、作物の大分類は「稲」に設定される。
また、作付計画設定手段３０は、大分類中の作物（品目）からさらに作物を絞り込むための小分類（例えば、作物の品種や作物の年度）を設定するための第２分類設定部３３を作付計画画面Ｑ１に表示する。例えば、第２分類設定部３３で「こしいぶき」が選択されると、作付計画における作物は「こしいぶき」に決定される。
【００２７】
なお、第１分類設定部３２や第２分類設定部３３は、様々な作物の中から作付計画で設定する作物を絞り込むための部分であり、分類の数、分類方法、分類階数は限定されない。例えば、上述した例では、「作物の品目」を大分類とし、「作物の品種」を小分類として作物を設定していたが、これに限らず、例えば、「作物の品種」に「地域」を加えたものを小分類（例えば、新潟県産こしいぶき）とし、これにより、品種及び地域を含むものを「作物」として設定できるようにしてもよい。
【００２８】
作付計画設定手段３０は、設定部（第１分類設定部３２、第２分類設定部３３）で設定された作物に関して、基本設定を行うための基本設定部３４を作付計画画面Ｑ１に表示する。この基本設定部３４では、作付計画の名称（作付計画名）、作付を行う予定期間、作物の種子の購入の有無、種子の種子購入量、購入金額等を設定することができる。
また、作付計画設定手段３０は、複数の圃場の中から作物を作付けする圃場を設定するための圃場設定部３５を表示する。詳しくは、作付計画設定手段３０は、サーバ２に設けられた基本記憶手段（例えば、基本データベース）から管理者が所有する複数の圃場情報（例えば、圃場名、圃場面積、作付面積等）を読み込み、圃場情報の一覧を圃場設定部３５に表示すると共に、圃場を選択する選択部３６を表示する。
【００２９】
圃場設定部３５において、例えば、圃場Ａ、圃場Ｂ、圃場Ｃ、圃場Ｄが選択され、作付計画画面Ｑ１に表示された「登録」が選択されると、作付計画設定手段３０は、圃場設定部３５で選択された各圃場（圃場Ａ〜圃場Ｄ）と、設定部（第１分類設定部３２、第２分類設定部３３）で設定された作物（こしいぶき）とを関係付ける。
作付計画設定手段３０によって、圃場（圃場Ａ〜圃場Ｄ）と、作物（こしいぶき）が関係付けられると、これら圃場Ａ〜圃場Ｄと、こしいぶきとを含む作付計画は、作付計画データベース３１に記憶される。作付計画データベース３１には、作付計画が設定される毎に、設定された作付計画（作物と圃場との関係）が記憶される。
【００３０】
以上、作付計画設定手段３０によれば、管理コンピュータ３ａをサーバ２に接続することにより、圃場と作付けする作物とを関係付ける作付計画を簡単に作成することができ、作成した作付計画を作付データベースに逐次記憶することができる。
また、サーバ２は、作業計画の設定を行う作業計画設定手段４０と、作業計画記憶手段（作業計画データベース）４１と、作業基準記憶手段（作業基準データベース）４２とを備えている。作業計画設定手段４０は、サーバ２に格納されたプログラム等から構成されている。なお、作業計画記憶手段及び作業基準記憶手段は、データを所定の規則に応じて記憶（記録）した作業計画データベース４１及び作業基準データベース４２の他に、データを単に記憶したものであってもよい。
【００３１】
作業計画とは、所定の圃場において、何の農作業をどの期間（農作業期間）内に行うかという計画、即ち、圃場で行う「農作業」と、農作業を行う「農作業期間」とを関係付けるためのものであって、例えば、作付計画の作成後に管理者等が行う。農作業とは、作物を栽培するために行う作業であって、例えば、床土作り、畦塗り、耕耘、播種、田植え、代掻き、溝切り、除草、追肥、収穫等である。
【００３２】
作業計画設定手段４０は、作付計画設定手段３０によって予め作付計画の設定が完了済みである圃場（完了圃場という）において、その完了圃場で行う農作業と、農作業の期間（農作業期間）とを作業計画として設定するものである。言い換えれば、作業計画設定手段４０は、作付けする作物が予め定められた圃場（完了圃場）に対して、その完了圃場で
行う農作業の作業計画を設定するものである。
【００３３】
例えば、上述したように、圃場Ａ〜圃場Ｄと「こしいぶき」とは、作付計画設定手段３０によって関係付けられて作付計画の作成が完了しているため、まず、作付計画設定手段３０は、この完了圃場（圃場Ａ〜圃場Ｄ）と、「作物（こしいぶき）」とに関しての作業計画の作成を許可する。作業計画の作成が許可されると、作業計画設定手段４０は、完了圃場で行う農作業及び農作業期間の設定を行う処理に入る。
【００３４】
つまり、作業計画設定手段４０は、作付計画手段によって作業計画の作成が許可された完了圃場及び作物に対する作業計画を行う、一方、作付計画設定手段３０によって作業計画の作成が許可されていない圃場及び作物に対する作業計画は行わない。
作業計画データベース４１は、作付計画データベース３１とは別に構成され、作業計画設定手段４０によって設定された作業計画を作付計画と関連付けて記憶する。詳しくは、作付計画データベース３１に記憶される作付計画は、作業計画データベース４１に記憶される作業計画よりも上位とされ、作業計画データベース４１には、作業計画設定手段４０で設定された作業計画が作付計画の下位として記憶される。
【００３５】
つまり、作付計画設定手段３０が作業計画の設定を許可後に、作業計画設定手段４０によって作業計画を設定して、当該設定した作業計画を作業計画データベース４１に記憶しているため、作付計画のデータを上位階層とし、作業計画のデータを下位階層とて、これらを関連付けることができる。なお、この実施形態では、作付計画手段３０による作業計画の設定許可後に作業計画を設定することとしていたが、作付計画を上位階層とし、作業計画を下位階層として、作付計画と作業計画とを関連付けるのであれば、作付計画及び作業計画を同時に行っても良い。
【００３６】
また、作業基準データベース４２は、作業計画を設定するに際して、基準となる農作業や農作業期間のデフォルト値を記憶するもので、当該作業基準データベース４２に記憶されている農作業や農作業期間のデフォルト値は、所定の作物毎に設定されたものであったり、過去の農業実績等により設定されるものである。
次に、作業計画設定手段４０による作業計画の設定について詳しく説明する。図２に示すように、作業計画設定手段４０は、共通設定部４０Ａを備えている。共通設定部４０Ａは、複数の圃場の中で同一の作物を作付けする共通の圃場を１括り（１グループ）とした場合、そのグルーブ化した圃場群全体の作業計画を設定する。例えば、上述したように、「こしいぶき」の作物は、圃場Ａ、圃場Ｂ、圃場Ｃ、圃場Ｄで栽培するため、共通設定部４０Ａは、これら圃場Ａ〜圃場Ｄをまとめた圃場群（圃場Ａ、圃場Ｂ、圃場Ｃ、圃場Ｄ）に対する作業計画を設定する。作業計画の説明では、便宜上、同一の作物を作付する共通の圃場（グループ化された圃場群）のことを共通圃場とする。
【００３７】
具体的には、共通設定部４０Ａは、管理コンピュータ３ａから作業計画作成の要求があると、共通圃場の作業計画を設定する共通設定画面Ｑ２を管理コンピュータ３ａに表示する。図４は、共通設定画面Ｑ２の一例を示している。図４を用いて共通設定画面Ｑ２について説明する。
図４（ａ）に示すように、共通設定画面Ｑ２は、例えば、日、週、月、西暦等によって時間経過を表示する第１経過表示部４３と、作付する作物を表示する第１作物表示部４４と、作業計画である農作業や農作業期間を表示する第１作業表示部４５とを備えている。また、共通設定画面Ｑ２は、圃場名を表示する第１圃場表示部４６を備えていて、この第１圃場表示部４６は、同一の作物を栽培する複数の圃場をまとめた圃場（共通圃場）であることを「全ての圃場」で示している。
【００３８】
第１作物表示部４４と第１圃場表示部４６とは、例えば、左右方向に並べられて隣接していて、第１作物表示部４４に表示された作物に関係付けられた圃場が、当該作物に並んで第１圃場表示部４６に示される。例えば、第１作物表示部４４に作物として「こしいぶき」が表示され、「こしいぶき」に並んで第１圃場表示部４６に「全ての圃場」が表示されているとすると、共通設定画面Ｑ２には、「こしいぶき」に関する「全ての圃場（共通圃場）」が示されていることになる。
【００３９】
また、第１圃場表示部４６と第１作業表示部４５とは、左右方向に並べられて隣接して
いる。第１圃場表示部４６に表示された圃場（共通圃場）に関係付けられた作業計画が、当該圃場に並んで第１作業表示部４５に示されている。例えば、第１圃場表示部４６に圃場Ａから圃場Ｄを一括りとした「全ての圃場」が表示され、「全ての圃場」に並んで第１作業表示部４５に作業計画として「耕耘、４／１〜４／７」が表示されているとすると、共通設定画面Ｑ２には、「全ての圃場」で行う農作業「耕耘」と、その農作業期間「４／１〜４／７」が示されていることになる。
【００４０】
上述したような共通設定画面Ｑ２を表示するに際し、共通設定部４０Ａは、管理コンピュータ３ａから入力された時間に基づき、第１経過表示部４３に所定の時間（例えば、２０１３年４月の日付）を示す。また、共通設定部４０Ａは、作付データベースから作付計画で示された作物（例えば、こしいぶき）を読み込んで当該作物を第１作物表示部４４に示す。共通設定部４０Ａは、作付計画で示された圃場を一括りとした「全ての圃場」を第１圃場表示部４６に表示する。
【００４１】
また、共通設定部４０Ａは、作物を作付けするため基準となる作業計画（農作業及び農作業期間）のデフォルト値を作業基準データベース４２から読み込み、読み込んだ農作業（例えば、耕耘、播種）及び農作業の期間（４／１〜４／７、４／２８）を第１作業表示部４５に示す。つまり、共通圃場で行う作業計画を設定するに際して、共通設定部４０Ａは、共通圃場に対応した作物を栽培するために必要な農作業とその農作業期間とを作業基準データベース４２から取得して、第１作業表示部４５に示す。
【００４２】
さらに詳しくは、共通設定部４０Ａは、農作業期間の開始から終了までを示す矩形状の共通スケール４７を第１作業表示部４５に示す。この共通スケール４７は、第１経過表示部４３に示された時間経過に沿うことによって農作業期間を示す。詳しくは、共通スケール４７は、矩形状のもの、即ち、直線状の表示バーであって、当該共通スケール４７の一端は農作業期間の開始を示し、他端は農作業期間の終了を示している。また、共通設定部４０Ａは、共通スケール４７の近傍に農作業及び農作業期間を文字や数値で示す。
【００４３】
この共通設定部４０Ａは、上述した共通設定画面Ｑ２において農作業期間を変更可能としている。図４（ａ）に示すように、例えば、耕耘の農作業期間を示す共通スケール（耕耘スケールという）４７ａの端部にポインタ４８を合わせる。そして、図４（ｂ）に示すように、ポインタ４８を耕耘スケール４７ａの長手方向に沿ってドラッグ（移動）すると、共通設定部４０Ａは、耕耘スケール４７ａをドラッグ（移動）した方向に延ばしたり縮めたりすることができ、耕耘の農作業期間を変更することができる。つまり、共通設定部４０Ａは、第１作業表示部４５に示された共通スケール４７の端部を、共通スケール４７、即ち、第１経過表示部４３に沿って移動させることにより、当該共通スケール４７に対応する農作業期間を変更することができる。
【００４４】
以上のように、共通設定部４０Ａにより共通設定画面Ｑ２を表示し、この共通設定画面Ｑ２上で農作業の作業期間を示す共通スケール４７の長さを変更することにより、共通圃場の農作業期間を変更した作業計画を設定することができる。
また、図２に示すように、作業計画設定手段４０は、個別設定部４０Ｂを備えている。個別設定部４０Ｂは、共通圃場（圃場群）の作業計画とは別に圃場毎の作業計画も設定する。個別設定部４０Ｂは、管理コンピュータ３ａから作業計画作成の要求があると、個別圃場の作業計画を設定する個別設定画面Ｑ３を管理コンピュータ３ａに表示する。図５は、個別設定画面Ｑ３の一例を示している。図５（ａ）を用いて個別設定画面Ｑ３について説明する。
【００４５】
図５（ａ）に示すように、個別設定画面Ｑ３は、例えば、日、週、月、西暦等によって時間経過を表示する第２経過表示部５３と、作付する作物を表示する第２作物表示部５４と、作業計画（農作業及び農作業期間）を表示する第２作業表示部５５と、圃場名を表示する第２圃場表示部５６とを備えている。
第２作物表示部５４と第２圃場表示部５６とは、例えば、左右方向に並べられて隣接していて、第２作物表示部５４に表示された作物に関係付けられた圃場が、当該作物に並んで第２圃場表示部５６に示される。例えば、第２作物表示部５４に作物として「こしいぶき」が表示され、「こしいぶき」に並んで第２圃場表示部５６に「圃場Ａ、圃場Ｂ、圃場
Ｃ、圃場Ｄ」が表示されているとすると、個別設定画面Ｑ３には、「こしいぶき」を作付けする各圃場（圃場Ａ、圃場Ｂ、圃場Ｃ、圃場Ｄ）が示されていることになる。
【００４６】
また、第２圃場表示部５６と第２作業表示部５５とは、左右方向に並べられて隣接している。第２圃場表示部５６に表示された圃場（個別圃場）に関係付けられた作業計画が、当該圃場に並んで第２作業表示部５５に示されている。例えば、第２圃場表示部５６に「圃場Ａ、圃場Ｂ」が表示され、「圃場Ａ」に並んで第２作業表示部５５に作業計画として「耕耘、４／２〜４／５」が表示され、「圃場Ｂ」に並んで第２作業表示部５５に作業計画として「耕耘、４／１〜４／６」が表示されているとすると、個別設定画面Ｑ３には、「圃場Ａ」で行う農作業「耕耘」と、その農作業期間「４／２〜４／５」が示され、「圃場Ｂ」で行う農作業「耕耘」と、その農作業期間「４／１〜４／６」が示されていることになる。
【００４７】
上述したような個別設定画面Ｑ３を表示するに際し、個別設定部４０Ｂは、管理コンピュータ３ａから入力された時間に基づき、第２経過表示部５３に所定の時間（例えば、２０１３年４月の日付）を示す。また、個別設定部４０Ｂは、作付データベースから作付計画で示された作物（例えば、こしいぶき）を読み込んで当該作物を第２作物表示部５４に示す。個別設定部４０Ｂは、作付計画で示された圃場を第２圃場表示部５６に表示する。即ち、個別設定部４０Ｂは、作業計画前に設定された作付計画の作物を第２作物表示部５４に表示し、作付計画の圃場を第２圃場表示部５６に表示する。
【００４８】
また、個別設定部４０Ｂは、作物を作付けするため基準となる作業計画（農作業及び農作業期間）のデフォルト値を作業基準データベース４２から読み込み、読み込んだ農作業（例えば、耕耘、播種）及び農作業期間（４／１、４／２８）を第２作業表示部５５に示す。つまり、共通圃場で行う作業計画を設定するに際して、個別設定部４０Ｂは、個別圃場に対応した作物を栽培するために必要な農作業と農作業期間とを作業基準データベース４２から取得して、第２作業表示部５５に示す。
【００４９】
さらに詳しくは、個別設定部４０Ｂは、農作業期間の開始から終了までを示す矩形状の個別スケール５７を第２作業表示部５５に示す。この個別スケール５７は、第２経過表示部５３に示された時間経過に沿うことによって農作業期間を示す。詳しくは、個別スケール５７は、矩形状のもの、即ち、直線状の表示バーであって、当該個別スケール５７の一端は農作業期間の開始を示し、他端は農作業期間の終了を示している。また、個別設定部４０Ｂは、個別スケール５７の近傍に農作業及び作業期間を文字や数値で示す。
【００５０】
この個別設定部４０Ｂは、上述した個別設定画面Ｑ３において農作業期間を変更可能する。図５（ａ）に示すように、例えば、耕耘の農作業期間を示す個別スケール５７（耕耘スケール５７ａという）の端部にポインタ４８を合わせる。そして、図５（ｂ）に示すように、ポインタ４８を耕耘スケール５７ａの長手方向に沿ってドラッグすると、個別設定部４０Ｂは、耕耘スケール５７ａをドラッグした方向に延ばしたり縮めたりすることができ、耕耘の農作業期間を変更することができる。つまり、個別設定部４０Ｂは、第２作業表示部５５に示された個別スケール５７の端部を、個別スケール５７、即ち、第２経過表示部５３に沿って移動させることにより、当該個別スケール５７に対応する農作業期間を変更することができる。
【００５１】
以上のように、個別設定部４０Ｂによって個別設定画面Ｑ３を管理コンピュータ３ａに表示し、この個別設定画面Ｑ３に、作付計画で設定された作物と圃場とを表示し、当該圃場に対応した農作業及び農作業期間を表示して、表示した農作業及び農作業期間のうち少なくとも農作業の作業期間を変更できるようにすることにより、作付計画に関連付けた作業計画を作成することができる。
【００５２】
さて、図２に示すように、作業計画設定手段４０は、画面統合部４０Ｃを備えている。この画面統合部４０Ｃは、共通設定画面Ｑ２と個別設定画面Ｑ３とを同一の画面に表示するものである。図６は、共通設定画面Ｑ２と個別設定画面Ｑ３とを１つの画面に表示した例である。共通設定画面Ｑ２と個別設定画面Ｑ３とを１つにまとめた画面（同一画面）のことを作業計画画面Ｑ４という。
【００５３】
図６を用いて、作業計画画面Ｑ４及び画面統合部４０Ｃについて説明する。
図６に示すように、画面統合部４０Ｃは、共通設定画面Ｑ２の第１経過表示部４３と、個別設定画面Ｑ３の第２経過表示部５３とを兼用化して、作業計画画面Ｑ４に時間経過を表示する。また、画面統合部４０Ｃは、作業計画画面Ｑ４の左側に共通設定画面Ｑ２の第１作物表示部４４の位置を設定すると共に、この第１作物表示部４４の下側に個別設定画面Ｑ３の第２作物表示部５４の位置を設定する。即ち、画面統合部４０Ｃは、作業計画画面Ｑ４の左側に作物を表示する作物表示エリアＡＥ１を設定して、その作物表示エリアＡＥ１に第１作物表示部４４と第２作物表示部５４とを上下に並べて配置する。
【００５４】
画面統合部４０Ｃは、作業計画画面Ｑ４において、第１作物表示部４４の右側に共通設定画面Ｑ２の第１圃場表示部４６を並べ、この第１圃場表示部４６の下側に個別設定画面Ｑ３の第２圃場表示部５６を並べる。即ち、画面統合部４０Ｃは、作業計画画面Ｑ４において、作物表示エリアＡＥ１の右側に圃場を表示する圃場表示エリアＡＥ２を設定して、その圃場表示エリアＡＥ２に第１圃場表示部４６と第２圃場表示部５６とを上下に並べる。
【００５５】
画面統合部４０Ｃは、作業計画画面Ｑ４において、第１圃場表示部４６の右側に共通設定画面Ｑ２の第１作業表示部４５を並べ、この第１作業表示部４５の下側に個別設定画面Ｑ３の第２作業表示部５５を並べる。即ち、画面統合部４０Ｃは、作業計画画面Ｑ４において、圃場表示エリアＡＥ２の右側に作業計画を表示する計画表示エリアＡＥ３を設定して、その計画表示エリアＡＥ３に第１作業表示部４５と第２作業表示部５５とを上下に並べる。詳しくは、作業計画エリアにおいて、第１作業表示部４５に示される共通スケール４７と、第２作業表示部５５に示される個別スケール５７とは上下に並ぶことになる。
【００５６】
作業計画を設定するに際して、共通設定部４０Ａ、個別設定部４０Ｂ及び画面統合部４０Ｃを作動させると、図６（ａ）に示すように、作業計画画面Ｑ４には、作付計画で設定された作物（例えば、こしいぶき）が表示される。また、作業計画画面Ｑ４には、作付計画で設定された作物に対応する個別圃場（例えば、圃場Ａ、圃場Ｂ、圃場Ｃ、圃場Ｄ）及び、複数の圃場を一括りとした共通圃場が表示される。
【００５７】
さらに、作業計画画面Ｑ４には、作物に関連した作業計画（農作業及び農作業期間）のデフォルト値が表示される。即ち、上述したように、共通圃場で示された作業計画の複製によって個別圃場に対応する作業計画が設定されるため、図６（ａ）に示すように、作業計画の設定開始時には、計画表示エリアＡＥ３に同じ作業計画が表示されることになる。
図６（ａ）に示すように、圃場Ａ〜圃場Ｄの作業計画において、耕耘の作業期間は「４／１〜４／７」になっているが、この状態で、圃場Ｃの個別スケール５７の左端部をポインタ４８等により選択して当該端部を右側にスライド（移動）することにより、図６（ｂ）に示すように、耕耘の農作業期間の開始日を「４／３」に変更することができる。その他の圃場においても、個別スケール５７の端部をスライド（移動）させることにより農作業期間を変更することができる。
【００５８】
以上のように、管理者は作業計画画面Ｑ４を見れば、例えば、「こしいぶき」の作物に関して、耕耘を行う農作業期間は、全圃場（共通圃場）では「４／１〜４／７」であると把握することができる。そのうえで、管理者は、全圃場の農作業期間「４／１〜４／７」を見ながら、圃場毎（個別圃場）で行う農作業の農作業期間を適宜設定することができる。また、管理者は、共通圃場で示された農作業期間内にそれぞれの圃場で実際に農作業を行うことができるかを、共通圃場での農作業期間と個別圃場での農作業期間とを見比べることにより判断することができる。ここで、共通圃場での農作業期間内に、全ての圃場で農作業が完了することが難しいと判断した場合には、例えば、共通スケール４７の端部を動かすことにより共通圃場での農作業期間を変更することができる。
【００５９】
このように、作業計画設定手段４０によって設定された作業計画は、作業計画データベース４１に記憶される。作業計画データベース４１は、各圃場と、各圃場で行う農作業と、各農作業の作業期間とを作業計画として記憶する。例えば、図６（ｂ）に示すように、作業計画設定手段４０によって、圃場Ｃにおける耕耘の農作業期間を設定した場合、圃場Ｃの耕耘における農作業期間は「４／３〜４／７」であることが作業計画データベース４１に記憶される。
【００６０】
なお、農作業期間を示すスケール（例えば、共通スケール４７、個別スケール５７）を時間経過に沿って表示するに際して、例えば、農作業毎にスケールの上下位置を変えて表示するのが望ましい。例えば、図６に示すように、耕耘の農作業期間を示すスケールと、播種の農作業期間を示すスケールとを重ならないように上下に並べて表示することが望ましい。このようにすることで、スケールが長手方向（時間経過方向）に重なってしまうことを防止することができる。また、農作業期間を示すスケールの色を圃場毎に変更することが望ましい。例えば、圃場Ａの作業計画（作業表示部）の欄に表示するスケールの色を「水色」とし、圃場Ｂの作業計画（作業表示部）の欄に表示するスケールの色を「橙色」としてもよい。このようにすることで、各圃場における農作業期間を分かり易くすることができる。
【００６１】
さて、上述したような作付計画や作業計画は、圃場に作物を作付けする毎に行う。例えば、稲作においては、毎年（１年単位）、作付計画及び作業計画の作成を行う。図７は、２年間で作付計画及び作業計画を行う流れを示したものである。図７では、説明の便宜上、１年目を前年とし、２年目を今年とする。
図７に示すように、前年においても、作付計画設定手段３０によって作付計画（前年作付計画）の作成を行い（Ｓ１）、前年作付計画の終了後に、作業計画設定手段４０によって作業計画（前年作業計画）の作成を行う（Ｓ２）。前年作付計画及び前年作業計画は、それぞれ作付計画データベース３１や作業計画データベース４１に記憶される（Ｓ３，Ｓ４）。
【００６２】
さて、今年においても、作物と、作物を作付する圃場との設定を作付計画設定手段３０によって行うことで作付計画（今年作付計画）を作成する（Ｓ５）。今年作付計画は、作付計画データベース３１に記憶される（Ｓ６）。
そして、今年作付計画が終了すると、今年の作業計画（今年作業計画）に進むことになる。今年作業計画を設定する場合、作業計画設定手段４０は、作付計画設定手段３０で設定された今年作付計画が前年作付計画と同じであるか否かを判定する（Ｓ７）。即ち、作業計画設定手段４０は、作付計画データベース３１から前年作付計画（作物と圃場との組み合わせ）を取得し、取得した前年作付計画と今年作付計画とが一致しているか否かを判定する。例えば、図８（ａ）に示すように、今年作付計画では、作付する作物が「こしいぶき」に決定され、この「こしいぶき」を作付する圃場は、圃場Ａ、圃場Ｂ、圃場Ｃ、圃場Ｄであるとする。一方、前年作付計画では、作付する作物を「こしいぶき」に決定し、この「こしいぶき」を作付する圃場が圃場Ａ、圃場Ｂ、圃場Ｃ、圃場Ｄとされていたとする。この場合、前年作付計画の作物及び圃場の組み合わせと、今年作付計画の作物及び圃場の組み合わせが一致するため、作業計画設定手段４０は、今年作付計画が前年作付計画と同じであると判定する。
【００６３】
図８（ｂ）に示すように、前年作付計画では、作物が「コシヒカリ」であり、その作物を作付する圃場が圃場Ａ、圃場Ｂ、圃場Ｃ、圃場Ｄとされていたとすると、前年作付計画の作物と、今年作付計画の作物とが不一致であるため、作業計画設定手段４０は、今年作付計画が前年作付計画と同じでないと判定する。或いは、図８（ｃ）に示すように、前年作付計画では、作物が今年と同じ「こしいぶき」であっても作付けする圃場が圃場Ｅ、圃場Ｆ、圃場Ｇの場合は、圃場の組み合わせが全く一致しないため、作業計画設定手段４０は、今年作付計画が前年作付計画と同じでないと判定する。
【００６４】
なお、今年作付計画と前年作付計画とを比較したときに、多数の圃場が同じであれば、作業計画設定手段４０は、今年作付計画と前年作付計画とが一致していると判断する。また、管理者が所有する主要な圃場が一致してれば、作業計画設定手段４０は、今年作付計画と前年作付計画とが一致していると判断する。
今年作付計画が前年作付計画に一致する場合、作業計画設定手段４０は、前年作付計画に関連して設定された農作業と作業期間との関係を作業計画データベース４１から抽出する（Ｓ８）。上述したように、前年作付計画の後に当該前年作付計画に関連付けられた前年作業計画が作業計画データベース４１に記憶されているため、この前年作業計画を抽出する。そして、作業計画設定手段４０は、作業計画データベース４１から抽出した前年作
業計画を、今年作業計画とする（Ｓ９）。例えば、図８（ｄ）に示すように、前年作付計画に関連付けられた前年作業計画が作業計画データベース４１に記憶されている場合、作業計画設定手段４０は、この前年作業計画を今年作業計画とし、新しい作業計画を作成する。
【００６５】
今年作付計画と前年作付計画とが一致しない場合は、作業計画設定手段４０は、新たな作業計画画面Ｑ４を表示して、今年作付計画に関連する今年作業計画の設定を行う（Ｓ１０）。今年作付計画と前年作付計画とが一致する場合であっても、一致しない場合であっても、作業計画設定手段４０は、新たに作成された作業計画を、作業計画データベース４１に記憶する（Ｓ１１）。
【００６６】
なお、上述した実施形態では、今年作付計画と前年作付計画とを比較して、今年作付計画が前年作付計画に一致する場合に、前年作付計画に関連付けられた前年作業計画を今年作付計画としたが、これに限らず、今年作付計画が過去の作付計画に一致するか否かを判定して、過去の作付計画に一致した場合に、一致した作付計画に関連付けられた過去の作業計画を今年作業計画としてもよい。
【００６７】
このように、作付計画設定手段３０と作業計画設定手段４０とを連携させることにより、複数年に亘って簡単に作業計画を作成することができる。
図２に示すように、サーバ２は、作業内容を作成する作業内容作成手段６０と、作業内容を記憶する作業内容記憶手段（作業内容データベース）６１とを備えている。作業内容作成手段６０は、サーバ２に格納されたプログラム等から構成されている。作業内容記憶手段は、データを所定の規則に応じて記憶（記録）した作業内容データベース６１の他に、データを単に記憶したものであってもよい。
【００６８】
作業内容作成手段６０は、主に、どの圃場で、どの農作業を何時、誰が行うかという作業の内容を作成するもので、この実施形態では、少なくとも、圃場で行う農作業、農作業を行う圃場、農作業を行う農作業者を含む作業内容を作成する。
管理コンピュータ３ａがサーバ２に接続し、当該管理コンピュータ３ａから作業内容の作成の要求があると、この要求に応じて作業内容作成手段６０は、作業内容を作成するための作業作成画面Ｑ５を起動して、当該作業作成画面Ｑ５を管理コンピュータ３ａに表示する。詳しくは、作業内容作成手段６０は、例えば、図９に示すような作業作成画面Ｑ５を管理コンピュータ３ａに表示する。図９を用いて、作業内容の作成、作業作成画面Ｑ５及び作業内容作成手段６０について説明する。
【００６９】
作業内容作成手段６０は、農作業を行う日付を設定するための日付設定部６２を作業作成画面Ｑ５に表示する。この日付設定部６２には、管理コンピュータ３ａによってサーバ２に入力された日付が表示され、入力された日付が農作業の実施日となる。
作業内容作成手段６０は、作付計画を選択するための作付計画選択部６３を作業作成画面Ｑ５に表示する。この作付計画選択部６３には、作付計画データベース３１から取得した作付計画の一覧表（作付計画の名称の一覧表）が示されており、一覧表の中から所定の作付計画が選択可能である。例えば、作付計画選択部６３で「こしいぶき」が選択されると、作業作成画面Ｑ５で作成する作業内容は、「こしいぶき」の作付計画に関連付けられる。
【００７０】
作業内容作成手段６０は、圃場を選択するための圃場選択部６４を作業作成画面Ｑ５に表示する。この圃場選択部６４には、サーバ２が取得した圃場マップ上の圃場が示されており、圃場マップ上の圃場が任意に選択可能である。例えば、圃場選択部６４に示された複数の圃場のうち、「圃場Ａ」を示す部分が選択されると、選択された「圃場Ａ」が農作業を行う圃場となる。
【００７１】
作業内容作成手段６０は、農作業を選択するための作業選択部６５を作業作成画面Ｑ５に表示する。この作業選択部６５には、作付計画で示された作物を栽培するのに必要な複数の農作業が示され、複数の農作業の中から所定の農作業が選択可能である。例えば、作業選択部６５に示された複数の農作業（作業項目）のうち、「耕耘」が選択されると、選択された「耕耘」が実施する農作業となる。
【００７２】
作業内容作成手段６０は、農作業者を選択するための作業者選択部６６を作業作成画面
Ｑ５に表示する。この作業者選択部６６には、予めサーバ２に登録された作業者が示されている。例えば、作業者選択部６６に示された複数の作業者のうち、「作業者Ｂ、作業者Ｃ」が選択されると、選択された「作業者Ｂ、作業者Ｃ」が実施する作業者（実施作業者）となる。
【００７３】
作業内容作成手段６０は、作業時間を設定するための時間設定部６７を作業作成画面Ｑ５に表示する。この時間設定部６７には、管理コンピュータ３ａによってサーバ２に入力された時間（例えば、時刻）が表示され、入力された時間が作業を実施する時間となる。
また、作業内容作成手段６０は、農業機械４を選択するための機械選択部６８と、肥料（肥料名）を選択する肥料選択部６９、散布する肥料量を設定する散布量設定部７０とを作業作成画面Ｑ５に表示する。
【００７４】
機械選択部６８には、農作業において使用する使用機械を設定する部分である。この機械選択部６８では、例えば、予めサーバ２に登録された農業機械４の種類や型式、農業機械４に連結可能なインプルメントの種類や型式等が表示され、表示された機械等が選択可能となっている。図９では、機械選択部６８において、型式が「ＮＷ４５１１」であるインプルメントが使用機械として設定されていることを示している。
【００７５】
肥料選択部６９には、予めサーバ２に登録された複数の肥料名が表示され、選択された肥料名が農作業で使用するものとなる。散布量設定部７０には、管理コンピュータ３ａによってサーバ２に入力された数値が表示され、入力された数値が散布量となる。
作業作成画面Ｑ５において、作付計画、圃場、農作業（作業項目）、作業者（農作業者）、作業時刻、肥料、散布量が入力され、「登録」が選択されると、作業内容作成手段６０は、作業作成画面Ｑ５に入力された項目（圃場、農作業、作業者、作業時刻、肥料、散布量）を作業内容とし、この作業内容を作付け計画と関連付けて作業内容データベース６１に記憶する。
【００７６】
なお、作業内容作成手段６０によって作成する作業内容は、上述したものに限定されず、例えば、圃場で使用する農薬や農薬の散布量を設定できるようにしてもよいし、その他の農作業を設定できるようにしてもよい。
さて、図２に示すように、サーバ２は、農作業者に割り当てられた携帯端末３ｂに作業内容を送信する作業指示手段７１を備えている。作業指示手段７１は、サーバ２に格納されたプログラム等から構成されている。
【００７７】
作業指示手段７１は、作業指示の対象となる農作業者（対象農作業者という）の携帯端末３ｂに作業内容を送信する。即ち、作業指示手段７１は、作業内容において実施作業者として設定された農作業者を対象農作業者とし、当該対象農作業者に対して作業内容を送信する。
図１０（ａ）に示すように、例えば、複数の作業内容（第１作業内容、第２作業内容、第３作業内容）が作業内容データベース６１に記憶されていたとする。この場合、作業者Ａの携帯端末３ｂから作業内容の要求があると、作業指示手段７１は、「作業者Ａ」向けの第１作業内容を作業内容データベース６１から抽出して、当該第１作業内容を対象農作業者である「作業者Ａ」の携帯端末３ｂに送信する。また、作業者Ｂの携帯端末３ｂから作業内容の要求があると、作業指示手段７１は、「作業者Ｂ」向けの第２作業内容及び第３作業内容を作業内容データベース６１から抽出して、当該第２作業内容及び第３作業内容を対象農作業者である「作業者Ｂ」の携帯端末３ｂに送信する。
【００７８】
さらに、作業者Ｃの携帯端末３ｂから作業内容の要求があると、作業指示手段７１は、「作業者Ｃ」向けの第３作業内容を作業内容データベース６１から抽出して、当該第３作業内容を対象農作業者である「作業者Ｃ」の携帯端末３ｂに送信する。なお、サーバ２には、携帯端末３ｂを識別する識別情報と農作業者を識別する識別情報とを関連付けて記憶しているため、作業指示手段７１は、特定の携帯端末３ｂに作業内容を送信することが可能である。
【００７９】
さて、作業指示手段７１は、作業指示の対象となる対象農作業者の携帯端末３ｂだけでなく、作業指示の対象となっていない非対象農作業者の携帯端末３ｂにも作業内容を送信する。つまり、作業指示手段７１は、作業内容において実施作業者として設定された農作
業者以外の農作業者（非対象農作業者）に対しても、作業対象者の作業内容を送信する。例えば、図１０（ｂ）に示すように、作業指示手段７１は、「作業者Ａ」向けの第１作業内容を対象農作業者である「作業者Ａ」の携帯端末３ｂに送信するだけでなく、非対象農作業者である「作業者Ｂ」の携帯端末３ｂや「作業者Ｃ」の携帯端末３ｂに送信する。
【００８０】
詳しくは、サーバ２には、農作業を行うグループ（組織）毎に、所属する複数の農作業者が登録されていたとする。例えば、第１組織として、作業者Ａ、作業者Ｂ、作業者Ｃ及び管理者Ｐが登録され、第２組織として、作業者Ｈ、作業者Ｉ、作業者Ｊ及び管理者Ｑが登録されていたとする。
作業指示手段７１は、例えば、第１組織に所属する作業者Ａ、作業者Ｂ、作業者Ｃの全員に作業内容（第１作業内容、第２作業内容、第３作業内容）を送信する。なお、作業指示手段７１は、第１組織とは異なる第２組織の作業者（作業者Ｈ、作業者Ｉ、作業者Ｊ）には、第１作業内容、第２作業内容及び第３作業内容を送信しない。
【００８１】
これにより、農作業者は、自分宛の作業内容だけでなく、同一組織に所属する作業者に向けた作業内容を取得することができる。言い換えれば、農作業者は、同一組織に所属する他人宛の作業内容を取得することができる。説明の便宜上、ある農作業者から見て、当該農作業者宛の作業内容のことを自分作業内容とし、他の農作業者宛の作業内容のことを他人作業内容という。
【００８２】
以上のように、サーバ２によって作付計画、作業計画、作業内容を作成し、所定の携帯端末３ｂに送信することにより、農作業者は携帯端末３ｂにて指示された自分作業内容や他人作業内容を見ることにより、適正な農作業を行うことができる。
次に、携帯端末３ｂについて詳しく説明する。
図２に示すように、携帯端末３ｂは、取得手段７２と、仕分け手段７３と、表示手段（第１表示手段）７４とを備えている。取得手段７２、仕分け手段７３、第１表示手段７４は、携帯端末３ｂに格納されたプログラム等から構成されている。
【００８３】
取得手段７２は、作業内容データベース６１に記憶されている作業内容をサーバ２を介して取得する。また、取得手段７２は、作業計画データベース４１に記憶されている作業計画をサーバ２を介して取得する。
具体的には、取得手段７２は、携帯端末３ｂがサーバ２にログイン時に、サーバ２に対して作業内容及び作業計画の要求を行い、要求に応じてサーバ２から送信された作業内容及び作業計画を受信すると、受信した作業内容及び作業計画を第２記憶部２３に記憶する。
【００８４】
仕分け手段７３は、取得手段７２によって取得した作業内容を、自分作業内容と他人作業内容とに分けるものである。具体的には、仕分け手段７３は、取得手段７２が作業内容を取得すると、例えば、取得した作業内容における作業者（実施作業者）を抽出し、抽出した実施作業者が自己の携帯端末３ｂに割り当てられた農作業者と一致するか否かを当該携帯端末３ｂに記憶された識別情報等を用いて判断し、一致する場合は、取得した作業内容を自分作業内容とし、一致しない場合は、取得した作業内容を他人作業内容とする。
【００８５】
例えば、図１１に示すように、作業者Ａに割り当てられた携帯端末３ｂが、第１作業内容、第２作業内容及び第３作業内容をサーバ２から取得したとする。この場合、作業者Ａに割り当てられた携帯端末３ｂの仕分け手段７３は、第１作業内容には実施作業者として「作業者Ａ」が設定されているため、第１作業内容を自分作業内容する。また、仕分け手段７３は、第２作業内容及び第３作業内容には実施作業者として「作業者Ａ以外の作業者」が設定されているため、第２作業内容及び第３作業内容を他人作業内容とする。
【００８６】
なお、仕分け手段７３による仕分け方法は、これに限定されず、作業内容に含まれる作業者とは別に自分宛であるか他人宛であるかを識別するための識別情報を予め作業内容に付加しておき、仕分け手段７３は、この識別情報に基づいて、自分作業内容と他人作業内容とに仕分けしてもよい。
第１表示手段７４は、携帯端末３ｂに格納されたデータや当該携帯端末３ｂが取得した様々な情報を作業内容を表示するものである。図１２〜１６は、表示手段によって携帯端末３ｂに表示した画面を示したものである。図１２〜１６を用いて、携帯端末３ｂに表示
する各種画面及び表示手段について説明する。以降、各種画面を表示するための処理は第１表示手段７４が行うこととして説明を進める。
【００８７】
図１２は、第１表示手段７４による各種表示画面の切替えの遷移を示したものである。図１２に示すように、第１表示手段７４は、携帯端末３ｂの表示部（例えば、タッチパネル）７８に、メインメニュ画面Ｍ１、自分作業画面Ｍ２、他人作業画面Ｍ３、計画確認画面Ｍ４、自分作業確認画面Ｍ５、他人作業確認画面Ｍ６、作業中画面Ｍ７、報告確認画面Ｍ８等を表示する。
【００８８】
図１３（ａ）に示すように、メインメニュ画面Ｍ１には、勤務の有無を通知する通知ボタン７５が示され、勤務開始時刻及び作業時間が示されている。農作業者等が通知ボタン７５をタップすると、携帯端末３ｂとサーバ２との間でログイン処理が実行され、ログインが許可されると、携帯端末３ｂはサーバ２に勤務開始を通知し、勤務開始状態から再度、通知ボタン７５をタップすると、当該携帯端末３ｂはサーバ２に勤務終了を通知する。なお、農作業者等が通知ボタン７５をタップすると、取得手段７２がサーバ２に対して作業内容の要求を行う。
【００８９】
メインメニュ画面Ｍ１には、収集ボタン７６、作成ボタン７７が示されている。農作業者等が稼働収集ボタン７６をタップすると、携帯端末３ｂは、農業機械４（データ収集装置５）へのアクセスを開始し、データ収集装置５で収集した農作業データを取得する。農作業データは、サーバ２に送信され、サーバ２に設けられた農業実績手段（農業実績データベース）に記憶される。メインメニュ画面Ｍ１を表示部７８に表示した状態で、当該表示部７８をドラッグすると、図１３（ｂ）に示すように、メインメニュ画面Ｍ１から自分作業画面Ｍ２に切り替わる。自分作業画面Ｍ２には、取得手段７２によって取得した作業内容のうち、仕分け手段７３によって分けられた自分作業内容の概略一覧が示される。例えば、自分作業内容の概略として、自分作業画面Ｍ２には、自分作業内容で指定された農作業の実施日（例えば、２０１３／４／４）、農作業（例えば、耕耘）及び実施作業者（例えば、作業者Ａ）が示される。
【００９０】
自分作業画面Ｍ２を表示部７８に表示した状態で、当該表示部７８をドラッグすると、図１３（ｃ）に示すように、自分作業画面Ｍ２から他人作業画面Ｍ３に切り替わる。他人作業画面Ｍ３には、取得手段７２によって取得した作業内容のうち、仕分け手段７３によって分けられた他人作業内容の概略一覧が示される。例えば、他人作業内容の概略として、他人作業画面Ｍ３には、他人作業内容で指定された農作業の実施日（例えば、２０１３／４／４）、農作業（例えば、耕耘）及び実施作業者（例えば、作業者Ｃ）が示される。
【００９１】
また、自分作業画面Ｍ２を表示部７８に表示した状態で、自分作業内容の一覧から所定の自分作業内容をタップ等により選択すると、図１４（ａ）に示すように、自分作業画面Ｍ２から自分作業確認画面Ｍ５に切り替わる。自分作業確認画面Ｍ５には、自分作業画面Ｍ２で選択した自分作業内容の詳細が表示される。例えば、自分作業内容の詳細として、自分作業確認画面Ｍ５には、作業内容に対応する作付計画（例えば、こしいぶき）、農作業を行う圃場（例えば、圃場Ａ）、実施する農作業（例えば、耕耘）、実施作業者（例えば、作業者Ａ）、実施時間（例えば、１２：００〜１７：００）、農業機械（例えば、ＨＷ４５１１）、肥料名（例えば、肥料Ａ）、散布量（例えば、１０ａ当たり２０ｋｇ）等が表示される。
【００９２】
また、表示部７８に他人作業画面Ｍ３を表示した状態で、他人作業内容の一覧から所定の自分作業内容をタップ等により選択すると、図１４（ｂ）に示すように、他人作業画面Ｍ３から他人作業確認画面Ｍ６に切り替わる。他人作業確認画面Ｍ６には、他人作業画面Ｍ３で選択した他人作業内容の詳細が表示される。例えば、他人作業内容の詳細として、他人作業確認画面Ｍ６にも、作付計画、農作業を行う圃場、実施する農作業、実施作業者、実施時間、農業機械４、肥料名、散布量等が表示される。
【００９３】
自分作業確認画面Ｍ５や他人作業確認画面Ｍ６には、作業内容を確認する確認ボタン７９が示されている。この確認ボタン７９は、作業を開始することを通知する作業開始ボタンと兼用化されており、農作業者等が確認ボタン７９をタップすると、携帯端末３ｂは、サーバ２に、自分作業確認画面Ｍ５や他人作業確認画面Ｍ６に表示された作業内容（自分
作業内容又は他人作業内容）を確認したことを通知する。さらに、確認ボタン７９は、農作業データの収集開始を決定する収集開始ボタンとも兼用化されており、当該確認ボタン７９をタップすると、携帯端末３ｂは、データ収集装置５に対して農作業データの収集開始を指令する。データ収集装置５は、携帯端末３ｂからの指令を受けて農作業データの収集を開始する。
【００９４】
また、自分作業確認画面Ｍ５及び他人作業確認画面Ｍ６に表示した確認ボタン７９をタップすると、図１５（ｂ）に示すように、第１表示手段７４によって、作業確認画面（自分作業確認画面Ｍ５、他人作業確認画面Ｍ６）から作業中画面Ｍ７に切り替わる。作業中画面Ｍ７は、主として農作業者に作業中であることを知らせるための画面であって、当該作業中画面Ｍ７には、完了ボタン８０や中断ボタン８１が示されている。作業中画面Ｍ７を表示した状態で、農作業者等が完了ボタン８０をタップすると、作業中画面Ｍ７は報告確認画面Ｍ８に切り替わる。また、作業中画面Ｍ７を表示した状態で農作業者等が中断ボタン８１をタップすると、携帯端末３ｂは、サーバ２に農作業が中断したことを通知する。
【００９５】
図１６に示すように、報告確認画面Ｍ８は、農作業者が管理者に報告する報告書（日誌）の最終確認を行う画面であって、当該報告確認画面Ｍ８には、予め報告書が表示されている。報告書とは、報告する内容を紙面等に記載した書類（ドキュメント）であって、このドキュメントは、電子データによってコンピュータ上で表示されてもよい。また、報告書は、農作業（農業）に関する情報を示するもの、例えば、表（情報表）、グラフ等であってもよい。
【００９６】
この報告確認画面Ｍ８には、登録ボタン８３が示されており、登録ボタン８３をタップすると、報告確認画面Ｍ８に表示された報告書がサーバ２に送信される。また、この登録ボタン８３は、農作業データの収集終了を決定する収集終了ボタンとも兼用化されており、当該登録ボタン８３をタップすると、携帯端末３ｂは、データ収集装置５に対して農作業データの収集終了を指令する。
【００９７】
上述したように、作業者は、自分作業確認画面Ｍ５に表示された自分作業内容や他人作業確認画面Ｍ６に表示された他人作業内容を確認することができる。作業者は、自分作業内容を確認したことをサーバに通知したり、他人作業内容を確認したことをサーバに通知することができる。
次に、作業内容の通知について説明する。
【００９８】
図２に示すように、携帯端末３ｂは、通知手段（第１通知手段）８４を備えている。第１通知手段８４は、携帯端末３ｂに格納されたプログラム等から構成されている。また、サーバ２は、通知手段（第２通知手段）８５を備えている。第２通知手段８５は、サーバ２に格納されたプログラム等から構成されている。
第１通知手段８４は、自分作業確認画面Ｍ５に示された自分作業内容を確認したこと、即ち、対象農作業者が自分作業内容に基づいて農作業（作業）を行うことをサーバ２に通知する。具体的には、自分作業確認画面Ｍ５の確認ボタン７９がタップされると、第１通知手段８４は、当該自分作業確認画面Ｍ５に表示された自分作業内容を確認したことを示す通知（自分確認通知という）をサーバ２に送信する。
【００９９】
一方、サーバ２の第２通知手段８５は、携帯端末３ｂから自分確認通知を受信すると、当該自分確認通知をサーバ２に通知した携帯端末３ｂ以外の携帯端末３ｂに、自分作業内容が確認されたことを通知する。
図１７は、サーバと携帯端末とにおける作業内容の送受信の流れを示した第１例である。図１７に示すように、例えば、作業者Ａに割り当てられた携帯端末３ｂ（第１携帯端末３ｂ）がサーバ２にアクセスすると、当該サーバ２は、作業内容データベース６１に記憶された第１作業内容、第３作業内容を第１携帯端末３ｂに送信する（Ｓ２０）。第１携帯端末３ｂは、受信した第１作業内容及び第３作業内容のうち、第１作業内容（自分作業内容）を自分作業確認画面Ｍ５に表示し（Ｓ２１）、第３作業内容（他人作業内容）を他人作業確認画面Ｍ５に表示する（Ｓ２２）。
【０１００】
ここで、自分作業確認画面Ｍ５の確認ボタン７９がタップされると、第１携帯端末３ｂ
は、第１作業内容の自分確認通知をサーバ２に送信する（Ｓ２３）。サーバ２が自分確認通知を受信すると、第２通知手段８５は、第１作業内容が第１携帯端末３ｂによって確認されたことを、第１携帯端末３ｂとは別の携帯端末、例えば、作業者Ｂの携帯端末３ｂ（第２携帯端末という）や作業者Ｃの携帯端末（第３携帯端末）に送信する（Ｓ２４）。
【０１０１】
第２携帯端末３ｂ及び第３携帯端末３ｂは、サーバ２（第２通知手段８５）からの自分確認通知を受信すると、他人作業画面Ｍ３において当該自分確認通知に対応する作業者Ａの作業内容に、この作業内容が確認されたことを示す「作業中」であることを表示する（Ｓ２５）。
このように、所定の農作業者が自分作業内容を確認したことを、他の農作業者に知らせることができ、他の農作業者は通知してきた農作業者が自分作業内容に基づいて農作業を行っていることを認識することができる。
【０１０２】
さて、上述した実施形態では、対象農作業者が自分宛の自分作業内容を確認したことを他の農作業者に知らせていたが、非対象農作業者が他人宛の他人作業内容を確認したことを、他の農作業者に知らせることもできる。具体的には、第１通知手段８４は、他人作業確認画面Ｍ６に示された他人作業内容を確認したこと、即ち、作業者が他人作業内容に基づいて農作業（作業）を行うことをサーバ２に通知する。詳しくは、他人作業確認画面Ｍ６の確認ボタン７９がタップされると、第２通知手段８５は、当該他人作業確認画面Ｍ６に表示された他人作業内容を確認したことを示す通知（他人確認通知という）をサーバ２に送信する。
【０１０３】
サーバ２の第２通知手段８５も、携帯端末３ｂの第１通知手段によって他人確認通知を受信すると、当該他人確認通知をサーバ２に通知した携帯端末３ｂ以外の携帯端末３ｂに、他人作業内容が確認されたことを通知する。
図１８は、サーバと携帯端末とにおける作業内容の送受信の流れを示した第２例である。図１８のＳ２０〜Ｓ２２は、図１７と同じとする。
【０１０４】
第１携帯端末３ｂにおいて、作業者Ｃの第３作業内容（他人作業内容）を他人作業確認画面Ｍ６に表示した状態で確認ボタン７９がタップされると、当該第１携帯端末３ｂは、第３作業内容の他人確認通知をサーバ２に送信する（Ｓ３３）。サーバ２が他人確認通知を受信すると、第２通知手段８５は、第３作業内容が第１携帯端末３ｂによって確認されたことを、第１携帯端末３ｂとは別の携帯端末（第２携帯端末、第３携帯端末）に送信する（Ｓ３４）。
【０１０５】
第２携帯端末３ｂは、サーバ２（第２通知手段８５）からの他人確認通知を受信すると、他人作業画面Ｍ３において当該他人確認通知に対応する作業者Ｃの作業内容に、この作業内容が確認されたことを示す「作業中」であることを表示する。また、第３携帯端末３ｂは、サーバ２（第２通知手段８５）からの他人確認通知を受信すると、自分作業画面Ｍ２において当該他人確認通知に対応する作業者Ｃの作業内容（自分宛の作業内容）に、この作業内容が確認されたことを示す「作業中」であることを表示する。
【０１０６】
このように、非対象作業者である作業者Ａが、対象作業者である作業者Ｃ向けの作業内容を確認することができ、当該非対象作業者である作業者Ａが作業者Ｃ向けの作業内容を確認したことを、作業者Ｃに通知することができる。
なお、上述した実施形態では、サーバ２の第２通知手段８５は、作業内容を携帯端末３ｂに送信する作業指示手段７１とは別に、自分確認通知や他人確認通知を携帯端末３ｂに送信していたが、当該作業指示手段７１と協働して確認通知（自分確認通知、他人確認通知）を送信するようにしてもよい。例えば、第２通知手段８５は、確認通知を受信した際に、当該確認通知に対応する作業内容に確認通知を受信したことを示す通知フラグを付加した後、作業指示手段７１に確認通知を含めた作業内容を送信することを指示する。作業指示手段７１は、所定の携帯端末３ｂから作業内容の要求があった場合、当該作業内容及び確認フラグを、作業内容の要求をした携帯端末３ｂに送信する。
【０１０７】
さて、このような携帯端末３ｂは、自分作業確認画面Ｍ５に表示した自分作業内容や他人作業確認画面Ｍ６に表示した他人作業内容に基づいて自動的に農業機械４の設定を行うことができる。
図２に示すように、携帯端末３ｂは、設定手段８６を備えている。設定手段８６は、携帯端末３ｂに格納されたプログラム等から構成されている。この設定手段８６は、作業内容に示された農作業が農業機械４で行う作業である場合に、当該農業機械４の設定値を作業内容から抽出して農業機械４に送信する。
【０１０８】
携帯端末３ｂが受信した作業内容には、農業機械の設定に用いられるデータが含まれている。例えば、作業内容のうち、使用機械（農業機械の種類や型式、インプルメントの種類や型式等）、散布量は、農業機械の設定に用いられるデータとされる。
図１９は、作業内容に基づいて農業機械（使用機械）の設定を行う流れを示したものである。図１９に示すように、例えば、作業者Ａが所持する第１携帯端末３ｂの自分作業確認画面Ｍ５に作業内容が表示されている状態で確認ボタン７９がタップされると（Ｓ４０）、設定手段８６は、作業内容で設定された農作業が農業機械で行われるか否かを判断する（Ｓ４１）。設定手段８６は、作業内容に、「農業機械の種類や型式、或いは、インプルメントの種類や型式等」の使用機械が含まれている場合は、農作業が農業機械で行われると判断し、使用機械が含まれない場合は、農作業が農業機械で行われないと判断する。例えば、設定手段８６は、インプルメントの型式を示す「ＮＷ４５１１」が使用機械として作業内容に設定されているため場合は、農作業が農業機械で行われると判断し、インプルメントの型式が使用機械として作業内容で設定されていない場合は、農作業が農業機械で行われないと判断する。
【０１０９】
そして、設定手段８６は、農作業が農業機械で行われると判断した場合、農業機械の設定値を作業内容から抽出してデータ収集装置５に送信する（Ｓ４２）。例えば、設定手段８６は、散布量（1ａ当たり２０ｋｇ）を作業内容から抽出し、その散布量及び使用機械（インプルメントの型式であるＮＷ４５１１）を設定値としてデータ収集装置５に送信する。なお、散布量を設定値としてもよい。
【０１１０】
データ収集装置５は、設定値（散布量及び使用機械）を受信すると、当該設定値を制御装置６に送信する（Ｓ４３）。制御装置６は、設定手段８６から送信された設定値に基づいて設定を行えるか否かの判断を行う（Ｓ４４）。具体的には、制御装置６は、設定値に含まれる使用機械（例えば、「ＮＷ４５１１」のインプルメント）が農業機械４に装着されていないか否かを判断し、装着されていれば、設定を行えるとし、設定値に基づいて使用機械の設定を行う（Ｓ４５）。制御装置６は、使用機械に施肥量（作業内容の施肥量）を送信することによって、使用機械の設定を行う。
【０１１１】
なお、使用機械の設定を行うにあたって、当該作業内容の施肥量をそのまま使用機械に送信するのではなく、使用機械が作業内容で示された施肥量によって施肥が実施できるように、制御装置６が作業内容の施肥量を使用機械に対応した値に換算して、その換算値を設定値として使用機械に送信してもよい。
一方、制御装置６は、作業内容に示された使用機械が農業機械４に装着されていなかったり、使用機械と農業機械４とが異なる場合、設定できないことを示すエラー情報を設定値を送信した携帯端末３ｂに対して送信する（Ｓ４６）。具体的には、制御装置６は、エラー情報をデータ収集装置５に送信し、当該データ収集装置５は携帯端末３ｂにエラー情報を送信する。携帯端末３ｂは、エラー情報を受信すると、作業内容に基づいて農業機械の設定を行えない警告を表示部に表示する。例えば、携帯端末３ｂは、作業内容に示された使用機械が農業機械４に装着されていないことを警告として表示したり（例えば、装着されていません）、作業内容に示された使用機械と農業機械４とが異なることを警告として表示したり（例えば、作業内容と機械とが異なっています）。作業内容に示された設定値では農業機械４の設定が行えないことを警告として表示する（例えば、作業内容の設定値では設定を行うことができません）。
【０１１２】
なお、制御装置６は、エラー情報をデータ収集装置５を介して携帯端末３ｂに送信し、携帯端末３ｂに警告を表示していたが、これに代え、制御装置６は農業機械の運転席周りに設置された表示装置に警告を出力して、当該表示装置に警告を表示してもよい。また、携帯端末３ｂと表示装置との両方に警告を表示してもよい。
また、上述した実施形態では、作業内容に記載された農作業者（実施作業者）、圃場、
農作業時間及び施肥量のうち、施肥量を携帯端末３ｂから使用機械に送信して当該使用機械の設定を行っていたが、当該作業内容には「だれが、どこの場所で、いつ農作業」を行うかという情報（実施作業者、圃場、農作業時間）が含まれていなくてもよく、少なくとも農作業者が実施する農作業が予測することができる内容（施肥量、散布量）が含まれていればよく、この内容に基づいて使用機械の設定を行ってもよい。
【０１１３】
さて、図２に示すように、携帯端末３ｂは報告書（日誌）を作成する作成手段８７を備えている。この作成手段８７は、携帯端末３ｂに格納されたプログラム等から構成されている。この作成手段８７は、作業内容に基づいて作業を行っている場合に、当該作業内容を報告書として作成するものである。
例えば、図２０（ａ）に示すように、第１携帯端末３ｂの自分作業確認画面Ｍ５に第１作業内容（自分作業内容）を表示していたとする。ここで、第１携帯端末３ｂの自分作業確認画面Ｍ５に第１作業内容を表示した状態で、確認ボタン７９をタップすると、作成手段８７は、例えば、図２０（ｂ）に示すように、図２０（ａ）に示した第１作業内容を複製したものを、中間報告書とし、当該中間報告書を第２記憶部２３に記憶する。
【０１１４】
一方、図２１（ａ）に示すように、第１携帯端末３ｂの他人作業確認画面Ｍ６に、第３作業内容（他人作業内容）を表示していたとする。ここで、第１携帯端末３ｂの他人作業確認画面Ｍ６に第３作業内容を表示した状態で、確認ボタン７９をタップすると、作成手段８７は、例えば、図２１（ｂ）に示すように、図２１（ａ）に示した第３作業内容を複製したものを中間報告書とし、当該中間報告書を第２記憶部２３に記憶する。
【０１１５】
このように、自分作業内容や他人作業内容に基づいて農作業を行っている場合に、作業内容に対応した中間報告書を作成することができる。作成手段８７によって作成した中間報告書は、第１通知手段８４によってサーバ２に送信する。サーバ２は、携帯端末３ｂ（第１通知手段８４）から送信された中間報告書を受信すると、当該サーバ２に設けられた報告書記憶手段（報告書データベース）５０に中間報告書を記憶する。なお、報告書記憶手段は、データを所定の規則に応じて記憶（記録）した報告書データベース５０の他に、データを単に記憶したものであってもよい。
【０１１６】
また、作成手段８７によって作成した中間報告書は、報告確認画面Ｍ８に表示される。即ち、携帯端末３ｂは、作成手段８７によって作成した中間報告書を第２記憶部２３から抽出して、抽出した中間報告書を報告確認画面Ｍ８に表示する。
ここで、報告確認画面Ｍ８の登録ボタン８３をタップすると、作成手段８７は、図２０（ｃ）及び図２１（ｃ）に示すように、報告確認画面Ｍ８に表示した中間報告書を実報告書に変換して、第２記憶部２３に記憶する。携帯端末３ｂは、第２記憶部２３に記憶された実報告書をサーバ２に送信する。サーバ２は、携帯端末３ｂ（第１通知手段８４）から送信された実報告書を受信すると、受信した実報告書を報告書データベース５０に記憶する。
【０１１７】
さて、携帯端末３ｂは、作業内容だけでなく作業計画も表示可能である。
図１２に示すように、例えば、表示部７８に他人作業画面Ｍ３を表示した状態で、当該表示部７８をドラッグすると、他人作業画面Ｍ３から計画確認画面Ｍ４に切り替わる。図１５（ａ）に示すように、計画確認画面Ｍ４には、取得手段７２で取得した作業計画が表示される。例えば、計画確認画面Ｍ４には、圃場（例えば、圃場Ａ）、農作業（例えば、耕耘）及び農作業期間（例えば、４／２〜４／５）が作業計画として表示されると共に、この作業計画に関連した作付計画（例えば、こしいぶき及び圃場Ａ）が表示される。
【０１１８】
図２２は、作業計画の取得から作業計画の表示の流れの一例を示したものである。次に、図２２を用いて詳しく説明する。
図２２に示すように、サーバ２には、例えば、第１組織として、作業者Ａ、作業者Ｂ、作業者Ｃ及び管理者Ｐが登録されていたとする。また、作業計画のうち、第１作業計画及び第２作業計画は、管理者Ｐが作成、即ち、管理者Ｐに割り当てられた管理コンピュータ３ａにより作成されたものとする。
【０１１９】
携帯端末３ｂの取得手段７２は、サーバ２へのログイン時に作業計画の要求を行う（Ｓ５０）。サーバ２は、ログインした携帯端末３ｂが、当該サーバ２に登録された農作業者
に割り当てられた携帯端末３ｂであるか否かの判定、即ち、登録有無の判定を行う（Ｓ５１）。例えば、作業者Ａに割り当てられた携帯端末３ｂ（第１携帯端末３ｂ）がサーバ２に対して作業計画の要求を行った場合、要求を行った第１携帯端末３ｂは、第１組織に所属する作業者Ａに割り当てられたものであるため、登録有りと判断する。一方、第１携帯端末３ｂ、第２携帯端末３ｂ、第３携帯端末３ｂ以外の携帯端末３ｂがサーバ２にログインして作業計画の要求をした場合、第１組織に所属していない農作業者の携帯端末３ｂからの要求であるため、サーバ２は、登録無しと判断する。
【０１２０】
そして、作業者Ａが登録有りの場合（Ｓ５２）、作業者Ａの第１携帯端末３ｂに向けて、当該作業者Ａの管理者である「管理者Ｐ」が作成した作業計画（第１作業計画及び第２作業計画）を、作業計画データベース４１から抽出し（Ｓ５３）、抽出した作業計画を作業者Ａの第１携帯端末３ｂに送信する（Ｓ５４）。第１携帯端末３ｂは、計画確認画面Ｍ４に、第１作業計画及び第２作業計画を表示する（Ｓ５５）。
【０１２１】
このように、予め登録された組織に属する農作業者の携帯端末３ｂに対して当該農作業者を管理する管理者が作成した所定の作業計画を送信することができる。そして、携帯端末３ｂには、作業内容だけでなく作業計画を表示することができるため、例えば、携帯端末３ｂが作業内容を取得することができない場合でも、農作業者は作業計画を見て、所定の圃場における農作業を行うことが可能である。或いは、農作業者が作業内容に基づいた農作業が予定していたよりも早く終了して余裕がある場合に、作業計画を見て追加の農作業を行うことができる。
【０１２２】
上述した実施形態では、携帯端末３ｂをサーバ２にログインする際、即ち、メインメニュー画面Ｍ１に表示された通知ボタン７５をタップしたときに、作業内容の取得の有無に関わらず、作業計画を取得することとしていたが、これに代え、作業内容を取得できない場合に、作業計画の取得を行うようにしてもよい。例えば、取得手段７２は、携帯端末３ｂがサーバ２へログインした後、まず、サーバ２に作業内容の取得を要求する。そして、携帯端末３ｂがサーバ２から取得する作業内容の中で、自分作業内容が取得できなかった場合、取得手段７２は、サーバ２に作業計画の取得を要求して、作業計画を取得する。
【０１２３】
上述した実施形態では、管理コンピュータ３ａで作成した作業内容をサーバ２を介して携帯端末３ｂで取得していたが、携帯端末３ｂを用いて作業内容の作成をすることが可能である。具体的には、メインメニュー画面Ｍ１に示された作成ボタン７７をタップすると、作成手段８７が起動し、まず、作成手段８７は第１表示手段７４に対して、携帯端末３ｂの表示部７８に、図２３に示すような作業作成画面Ｍ９を表示するよう指令する。作業内容作成画面Ｍ９は、手動で作業告書を作成するための画面である。この作業内容作成画面Ｍ９は、例えば、携帯端末３ｂとサーバ２との通信が電波等の影響により一時的に行えなかったり、管理者が作業内容の作成を失念していて農作業者が作業内容の取得ができない等の特別な事情により作業内容の作成することが必要となったときに、使用する画面である。
【０１２４】
作成手段８７の指令に基づき、第１表示手段７４は、図２３に示すように、農作業を行った日付を設定するための日付設定部９０を作業内容作成画面Ｍ９に表示する。作成手段８７は、日付設定部９０に入力された日付を農作業の実施日とする。また、第１表示手段７４は、圃場を選択するための圃場選択部９１を作業内容作成画面Ｍ９に表示する。作成手段８７は、圃場選択部９１に入力された圃場を農作業を行った圃場に設定する。
【０１２５】
さらに、第１表示手段７４は、農作業を入力するための作業入力部９２と、農作業者を入力するための作業者入力部９３と、農業機械４を入力するための機械入力部９４と、肥料（肥料名）を入力するための肥料入力部９５、散布する肥料量を設定するための散布量設定部９６とを作業内容作成画面Ｍ９に表示する。作成手段８７は、作業入力部９２に入力された農作業名を実施に行った農作業に設定し、作業者入力部９３に入力された作業者名を農作業を行った実施作業者に設定し、機械入力部９４に入力された機械名を農作業を行った機械に設定し、肥料入力部９５に入力された肥料名を散布した肥料に設定し、散布量設定部９６に入力された数値を散布した肥料量に設定する。なお、作成手段８７によって作成する作業内容は、上述したものに限定されず、例えば、圃場で使用する農薬や農薬
の散布量を入力できるようにしてもよい。
【０１２６】
このように、作成手段８７によって手動で作成された作業内容は、サーバ２に送信する。例えば、図２３に示すように、作業内容作成画面Ｍ９の登録ボタンを選択すると、携帯端末３ｂは、作業内容作成画面Ｍ９に入力した作業内容を自分作業内容とすると共に、当該自分作業内容をサーバ２に送信する。サーバ２は、携帯端末３ｂ（第１通知手段８４）から送信された作業内容を受信すると、受信した作業内容を作業内容データベース６１に記憶する。また、サーバ２は、受信した自分作業内容を他の携帯端末３ｂに送信する。
【０１２７】
例えば、作業者Ａが所有する第１携帯端末３ｂで作業内容（自分作業内容）を作成すると、当該第１携帯端末３ｂは自分作業内容を、作業者Ａに対応する第１作業内容としてサーバ２に送信する。サーバ２は、受信した作業者Ａの第１作業内容を作業内容データベース６１に記憶する。また、サーバ２は、作業者Ａと同一の組織に所属している他の作業者Ｂ及び作業者Ｃの携帯端末３ｂに第１作業内容を送信する。作業者Ｂ及び作業者Ｃの携帯端末３ｂは、受信した第１作業内容を他人作業内容として、他人作業画面Ｍ３に表示する。
【０１２８】
このようにすれば、例えば、作業指示を受けていない作業者が、自己の所有する携帯端末３ｂで作成した作業内容を、サーバ２を介して他の作業者に知らせることができる。また、サーバ２の作業内容データベース６１に記憶された作業内容（携帯端末３ｂで作成した作業内容）を、管理コンピュータ３ａにも表示することができるため、管理者も指示を行っていない場合でも作業者が行う農作業を作業内容（携帯端末３ｂで作成した作業内容）により把握することができる。
【０１２９】
以上、本発明の農業支援システムによれば、作業内容データベース６１と、作業計画データベース４１と、取得手段７２と、第１表示手段７４とを備え、
取得手段７２は、自己に割り当てられた農作業者に向けた作業内容を作業内容データベース６１に要求すると共に、作業計画を作業計画データベース４１に要求し、第１表示手段７４は、取得手段７２によって取得した作業内容及び／又は作業計画を表示するため、農作業者は、取得することができた作業内容又は作業計画の少なくとも１つを見て、農作業を行うことができる。例えば、取得手段によって作業内容が取得できれば、農作業者は取得した作業内容を見て当該作業内容に基づいた農作業を行うことができ、作業計画が取得できれば、農作業者は取得した作業計画を見て当該作業計画に基づいた農作業を行うことができる。管理者は全ての農作業者向けに作業内容を作成して、作成した作業内容を作業内容データベース６１に記憶することが望ましいが、例えば、管理者が作業内容の作成を忘れてしまったり、意図的に作業内容の作成を行わなかった場合でも、農作業者は、作業計画を見ることにより農作業を行うことができる。或いは、農作業者は、作業内容及び作業計画の両方を見ながら農作業を行うこともできる。
【０１３０】
取得手段７２は、自己に割り当てられた農作業者に向けた作業内容が得られない場合に作業計画データベース４１に接続して作業計画を要求するため、農作業者は、要求によって得る事ができた作業計画を見ながら農作業を行うことができる。例えば、携帯端末３ｂとサーバ２との通信事情等や作業内容の作成忘れ等によって作業内容が得られない場合の緊急時に、作業計画を取得し、その作業計画を見ながら農作業を行うことができる。
【０１３１】
また、携帯端末３ｂは、新たな作業内容を作成する作成手段８７を備えているため、例えば、作業内容が取得できない場合に作業計画を見ながら、作業内容の作成を農作業者自ら行うことができる。
さらに、携帯端末３ｂは、作成手段８７によって作成された新たな作業内容を外部（サーバ２等）に送信する通知手段（第１通知手段）８４を備えているため、農作業者自ら作成した作業内容を実際に行った農作業として報告（通知）することができる。
【０１３２】
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
サーバ２に設けた構成（例えば、作付計画設定手段３０、作付計画データベース３１、
作業計画設定手段４０、作業計画データベース４１、作業基準データベース４２等）の一部を、管理コンピュータ３ａや携帯端末３ｂに設けてもよい。例えば、上述した実施形態では、作付計画設定手段３０及び作業計画設定手段４０をサーバ２に設けていたが、これらを管理コンピュータ３ａに設けてもよい。
【０１３３】
また、上述した実施形態では、作業計画設定手段４０は、作業計画として、共通圃場或いは個別圃場の農作業期間を変更することとしているが、共通圃場或いは個別圃場の農作業期間だけでなく、共通圃場或いは個別圃場の農作業を変更できるようにしてもよい。農作業の変更は、例えば、第１作業表示部４５や第２作業表示部５５に表示された農作業をポインタ等で選択できるようにし、選択した農作業を別の農作業に変更する。農作業の変更方法は、これに限定されない。
【０１３４】
上述した実施形態では、画面統合部４０Ｃによって共通設定画面Ｑ２と個別設定画面Ｑ３とを同一の画面に表示していたが、別々の画面に表示してもよい。また、作業計画設定手段４０によって共通圃場及び個別圃場の作業計画を設定することが望ましいが、個別圃場の作業計画のみを設定できるようにしてもよい。
【符号の説明】
【０１３５】
１  農業支援システム
２  サーバ
３  コンピュータ
３ａ  管理コンピュータ（パーソナルコンピュータ）
３ｂ  作業者コンピュータ（携帯端末）
４  農業機械（トラクタ）
３０  作付計画設定手段
３１  作付計画記憶手段（作付計画データベース）
４０  作業計画設定手段
４０Ａ：共通設定部
４０Ｂ：個別設定部
４０Ｃ：画面統合部
４１  作業計画記憶手段（作業計画データベース）
４２  作業基準記憶手段（作業基準データベース）
６０  作業内容作成手段
６１  作業内容記憶手段（作業内容データベース）
７１  作業指示手段
７２  取得手段
７３  仕分け手段
７４  表示手段（第１表示手段）
８４  第１通知手段
８５  第２通知手段
８６  設定手段
８７  作成手段
【図１】
0006034769.tif 000002
【図２】
0006034769.tif 000003
【図７】
0006034769.tif 000004
【図８】
0006034769.tif 000005
【図１０】
0006034769.tif 000006
【図１１】
0006034769.tif 000007
【図１２】
0006034769.tif 000008
【図１７】
0006034769.tif 000009
【図１８】
0006034769.tif 000010
【図１９】
0006034769.tif 000011
【図２２】
0006034769.tif 000012
【図２４】
0006034769.tif 000013
【図３】
0006034769.tif 000014
【図４】
0006034769.tif 000015
【図５】
0006034769.tif 000016
【図６】
0006034769.tif 000017
【図９】
0006034769.tif 000018
【図１３】
0006034769.tif 000019
【図１４】
0006034769.tif 000020
【図１５】
0006034769.tif 000021
【図１６】
0006034769.tif 000022
【図２０】
0006034769.tif 000023
【図２１】
0006034769.tif 000024
【図２３】
0006034769.tif 000025